(57)【特許請求の範囲】
【請求項１】
上下方向に伸延する支軸を中心に開放位置と閉鎖位置との間で開閉自在、且つ、前記支軸に沿って上下方向へ昇降自在に軸支した止水扉を備え、前記閉鎖位置における前記止水扉への水圧による加圧方向と前記止水扉の開放方向とが一致する止水装置であって、
前記支軸は前記止水扉を上方へ付勢する付勢手段を備え、前記開放位置と閉鎖位置との間では前記止水扉を床面から離隔させた状態で変位可能とし、前記閉鎖位置では前記付勢手段の付勢力に抗した外力を付与することにより前記止水扉を下降させて前記床面に接触可能に構成したことを特徴とする止水装置。
【請求項２】
前記止水扉は、前記支軸に近い軸支側側縁と同軸支側側縁よりも回動半径が大きい自由側側縁とを備え、同自由側側縁は、前記止水扉の閉鎖時に弾性材を介して戸枠と当接するものであり、
前記止水装置は、止水時に前記自由側側縁を前記戸枠に係止して前記自由側側縁を介した漏水を防止する自由側側縁水密係止構造を備え、
同自由側側縁水密係止構造は、
前記弾性材を圧縮しつつ前記自由側側縁を前記戸枠に接近させた圧接領域に移動させる圧接手段と、
前記戸枠と前記自由側側縁との間に掛け渡す係止片を有し、前記水圧による止水扉への加圧時に前記係止片により前記圧接手段が有する遊びに由来した前記止水扉の開放方向への動きを規制しつつ同止水扉を前記圧接領域に保持する遊び規制手段と、をそれぞれ別体に設けて構成したことを特徴とする請求項１に記載の止水装置。
【請求項３】
前記遊び規制手段は、前記自由側側縁に沿って上下に複数設けたことを特徴とする請求項２に記載の止水装置。
【請求項４】
前記遊び規制手段は、
前記係止片としての落とし棒を備え、前記戸枠又は前記止水扉のいずれか一方に配設した丸落とし本体と、
前記落とし棒を挿入させるいずれか他方に形成した挿入孔と、よりなる丸落としであることを特徴とする請求項２又は請求項３に記載の止水装置。
【請求項５】
前記落とし棒は、同落とし棒を軸周りに回動させることにより、軸線方向に進退可能なスライド位置と、軸線方向への動きが規制される固定位置とに変位可能であり、
前記スライド位置に変位させて落とし棒を挿入孔へ挿入した際には、前記落とし棒と前記挿入孔の開放側内周壁との間に遊びが設けられており、前記落とし棒を固定位置とした際に前記遊びが消失するよう構成したことを特徴とする請求項４に記載の止水装置。
【請求項６】
前記付勢手段による前記止水扉の上方への付勢力は、前記外力として前記止水扉に対し10kgf以上40kgf以下の力を加えることで、前記止水扉を下降させて前記床面に接触可能な力としたことを特徴とする請求項１〜５いずれか１項に記載の止水装置。
【請求項７】
前記閉鎖位置では、前記止水扉を下降させて床面と接触させることにより同止水扉の下側縁を介した漏水を防止することを特徴とする請求項１〜６いずれか１項に記載の止水装置。
【請求項８】
前記止水扉の下側縁を介した漏水を防止する下部弾性体を前記止水扉の下面に貼着したことを特徴とする請求項７に記載の止水装置。
【請求項９】
前記止水扉の下部と前記閉鎖位置に移動させた止水扉の下面と対向する床面近傍とには、前記下部弾性体を圧縮しつつ前記止水扉と前記床面とを係止する下部弾性体圧縮係止手段を備えることを特徴とする請求項８に記載の止水装置。
【請求項１０】
前記下部弾性体圧縮係止手段は、前記止水扉の下側縁より出没自在に設けた雄ネジ部材と、前記床面に前記雄ネジ部材と螺合可能に設けた雌ネジ孔とで構成したことを特徴とする請求項９に記載の止水装置。
【請求項１１】
前記閉鎖位置に移動させた止水扉の下面と対向する床面には、前記止水扉の下部を収容する収容溝が形成されていることを特徴とする請求項１〜１０いずれか１項に記載の止水装置。
【請求項１２】
地下との連絡階段の中途に設けたことを特徴とする請求項１〜１１いずれか１項に記載の止水装置。
【発明の詳細な説明】
【技術分野】
【０００１】
本発明は、止水装置に関する。
【背景技術】
【０００２】
従来、例えば都市部等において排水能力を超える降雨が発生した場合に備え、建物や地下施設への浸水被害を抑制すべく種々の止水装置が提案されている。
【０００３】
このような止水装置は屋外と接続する出入り口など、左右の側壁部と床面とを備えた人や物が往来する往来部に設置されるのが一般的であり、その一例として、平常時に左右対向する側壁部の一方若しくは両方の壁面に沿って収納していた止水扉を支軸を中心に回動させて往来部を閉鎖する扉式のものが存在している（例えば、特許文献１参照。）。
【０００４】
そして、このような止水装置によれば、増水時に、建物や地下施設など浸水被害を抑制したい保護領域内への浸水を防止できるとしている。
【先行技術文献】
【特許文献】
【０００５】
【特許文献１】特開２００５−１１３６０６号公報
【発明の概要】
【発明が解決しようとする課題】
【０００６】
ところで、上述した止水装置の多くは、増水時に保護領域内へ浸入しようとする水の水圧による止水扉への加圧方向と、止水扉の閉鎖方向とが一致するように構成されている。以下、このような止水装置を圧閉型の止水装置とも言う。
【０００７】
これは、水圧が掛かることにより止水扉の戸枠への密着性を高めて水密性をより向上させるためである。
【０００８】
しかしながら、例えば階段の中途部など、止水装置の設置場所によっては、水圧による止水扉への加圧方向と止水扉の閉鎖方向とが対向する、すなわち、止水扉への加圧方向と止水扉の開放方向とが一致する止水装置を設置せざるを得ない場合がある。以下、このような止水装置を圧開型の止水装置ともいう。
【０００９】
止水装置は、未だ浸水が起こっていない状態で予め使用されるのは勿論のこと、保護領域内へ徐々に浸水が始まりつつある状態でも使用することが想定される。
【００１０】
扉式の止水装置は、止水扉の下方に僅かな間隙を設けて床面と接触することなく回動できるよう構成されているが、この間隙はせいぜい１ｃｍ程度と小さく、浸水の水嵩が高くなると、この隙間を介して水を逃がしつつ、水と接触することなく止水扉の閉鎖作業を行うのは困難となる。
【００１１】
ただ、止水装置が上述の圧閉型である場合には、閉鎖作業時に止水扉と流入する水とが多少接触しても、止水扉の閉鎖方向への動きを助長する方向に力が働くため問題となることはない。
【００１２】
しかし、圧開型の場合には、閉鎖作業時に止水扉と流入する水とが接触した場合、止水扉を開放する方向に力が働いてしまい、閉鎖作業を阻害してしまう。
【００１３】
これを解消するためには、回動する止水扉の下面と床面との間隙を予測される浸水の水嵩よりも大きくとれば、流入する水による開放方向への力を受けることなく、閉鎖作業を行うことができる。
【００１４】
ところが、間隙を大きく取らざるを得ない場合、ドアは重量物であるため、引用文献に記載の止水装置では、止水扉を閉鎖位置にて自重落下させた際のドア下面及び床面への衝撃が大きく、これらの部位が変形するなどして、水密性に影響を与えることが懸念される。
【００１５】
本発明は、斯かる事情に鑑みてなされたものであって、圧開型でありながら閉鎖回動時に流入する水による開放方向への力を可及的受けることなく、しかも、床面との接地の際のドア下面及び床面へ衝撃を少なくして当該部分における水密性を確保することのできる止水装置を提供する。
【課題を解決するための手段】
【００１６】
上記従来の課題を解決するために、本発明に係る止水装置では、（１）上下方向に伸延する支軸を中心に開放位置と閉鎖位置との間で開閉自在、且つ、前記支軸に沿って上下方向へ昇降自在に軸支した止水扉を備え、前記閉鎖位置における前記止水扉への水圧による加圧方向と前記止水扉の開放方向とが一致する止水装置であって、前記支軸は前記止水扉を上方へ付勢する付勢手段を備え、前記開放位置と閉鎖位置との間では前記止水扉を床面から離隔させた状態で変位可能とし、前記閉鎖位置では前記付勢手段の付勢力に抗した外力を付与することにより前記止水扉を下降させて前記床面に接触可能に構成した。
【００１７】
また、本発明に係る止水装置では、以下の点にも特徴を有する。
（２）前記止水扉は、前記支軸に近い軸支側側縁と同軸支側側縁よりも回動半径が大きい自由側側縁とを備え、同自由側側縁は、前記止水扉の閉鎖時に弾性材を介して戸枠と当接するものであり、前記止水装置は、止水時に前記自由側側縁を前記戸枠に係止して前記自由側側縁を介した漏水を防止する自由側側縁水密係止構造を備え、同自由側側縁水密係止構造は、前記弾性材を圧縮しつつ前記自由側側縁を前記戸枠に接近させた圧接領域に移動させる圧接手段と、前記戸枠と前記自由側側縁との間に掛け渡す係止片を有し、前記水圧による止水扉への加圧時に前記係止片により前記圧接手段が有する遊びに由来した前記止水扉の開放方向への動きを規制しつつ同止水扉を前記圧接領域に保持する遊び規制手段と、をそれぞれ別体に設けて構成したこと。
（３）前記遊び規制手段は、前記自由側側縁に沿って上下に複数設けたこと。
（４）前記遊び規制手段は、前記係止片としての落とし棒を備え、前記戸枠又は前記止水扉のいずれか一方に配設した丸落とし本体と、前記落とし棒を挿入させるいずれか他方に形成した挿入孔と、よりなる丸落としであること。
（５）前記落とし棒は、同落とし棒を軸周りに回動させることにより、軸線方向に進退可能なスライド位置と、軸線方向への動きが規制される固定位置とに変位可能であり、前記スライド位置に変位させて落とし棒を挿入孔へ挿入した際には、前記落とし棒と前記挿入孔の開放側内周壁との間に遊びが設けられており、前記落とし棒を固定位置とした際に前記遊びが消失するよう構成したこと。
（６）前記付勢手段による前記止水扉の上方への付勢力は、前記外力として前記止水扉に対し10kgf以上40kgf以下の力を加えることで、前記止水扉を下降させて前記床面に接触可能な力としたこと。
（７）前記閉鎖位置では、前記止水扉を下降させて床面と接触させることにより同止水扉の下側縁を介した漏水を防止すること。
（８）前記止水扉の下側縁を介した漏水を防止する下部弾性体を前記止水扉の下面に貼着したこと。
（９）前記止水扉の下部と前記閉鎖位置に移動させた止水扉の下面と対向する床面近傍とには、前記下部弾性体を圧縮しつつ前記止水扉と前記床面とを係止する下部弾性体圧縮係止手段を備えること。
（１０）前記下部弾性体圧縮係止手段は、前記止水扉の下側縁より出没自在に設けた雄ネジ部材と、前記床面に前記雄ネジ部材と螺合可能に設けた雌ネジ孔とで構成したこと。
（１１）前記閉鎖位置に移動させた止水扉の下面と対向する床面には、前記止水扉の下部を収容する収容溝が形成されていること。
（１２）地下との連絡階段の中途に設けたこと。
【発明の効果】
【００１８】
本発明に係る止水装置によれば、上下方向に伸延する支軸を中心に開放位置と閉鎖位置との間で開閉自在、且つ、前記支軸に沿って上下方向へ昇降自在に軸支した止水扉を備え、前記閉鎖位置における前記止水扉への水圧による加圧方向と前記止水扉の開放方向とが一致する止水装置であって、前記支軸は前記止水扉を上方へ付勢する付勢手段を備え、前記開放位置と閉鎖位置との間では前記止水扉を床面から離隔させた状態で変位可能とし、前記閉鎖位置では前記付勢手段の付勢力に抗した外力を付与することにより前記止水扉を下降させて前記床面に接触可能に構成したため、圧開型でありながら閉鎖回動時に流入する水による開放方向への力を可及的受けることなく、しかも、床面との接地の際のドア下面及び床面へ衝撃を少なくして当該部分における水密性を確保することのできる止水装置を提供することができる。
【００１９】
また、前記止水扉は、前記支軸に近い軸支側側縁と同軸支側側縁よりも回動半径が大きい自由側側縁とを備え、同自由側側縁は、前記止水扉の閉鎖時に弾性材を介して戸枠と当接するものであり、前記止水装置は、止水時に前記自由側側縁を前記戸枠に係止して前記自由側側縁を介した漏水を防止する自由側側縁水密係止構造を備え、同自由側側縁水密係止構造は、前記弾性材を圧縮しつつ前記自由側側縁を前記戸枠に接近させた圧接領域に移動させる圧接手段と、前記戸枠と前記自由側側縁との間に掛け渡す係止片を有し、前記水圧による止水扉への加圧時に前記係止片により前記圧接手段が有する遊びに由来した前記止水扉の開放方向への動きを規制しつつ同止水扉を前記圧接領域に保持する遊び規制手段と、をそれぞれ別体に設けて構成すれば、圧開型の止水装置でありながら、水圧負荷時であっても保護領域内への浸水を堅実に防止可能な自由側側縁における水密係止構造を備える止水装置を提供することができる。
【００２０】
また、前記遊び規制手段は、前記自由側側縁に沿って上下に複数設けることとすれば、止水扉の自由側側縁における水密性をより堅実なものとすることができる。
【００２１】
また、前記遊び規制手段は、前記係止片としての落とし棒を備え、前記戸枠又は前記止水扉のいずれか一方に配設した丸落とし本体と、前記落とし棒を挿入させるいずれか他方に形成した挿入孔と、よりなる丸落としであることとすれば、シンプルな構成でありながら、水圧負荷時であっても保護領域内への浸水を堅実に防止可能な自由側側縁における水密係止構造を備える止水装置を提供することができる。
【００２２】
また、前記落とし棒は、同落とし棒を軸周りに回動させることにより、軸線方向に進退可能なスライド位置と、軸線方向への動きが規制される固定位置とに変位可能であり、前記スライド位置に変位させて落とし棒を挿入孔へ挿入した際には、前記落とし棒と前記挿入孔の開放側内周壁との間に遊びが設けられており、前記落とし棒を固定位置とした際に前記遊びが消失するよう構成することにより、緊急時の操作性に優れつつも、水圧負荷時に自由側側縁を堅実に圧接領域に維持することのできる止水装置を提供することができる。
【００２３】
また、前記付勢手段による前記止水扉の上方への付勢力は、前記外力として前記止水扉に対し10kgf以上40kgf以下の力を加えることで、前記止水扉を下降させて前記床面に接触可能な力とすれば、止水扉の閉塞作業を行う作業者が、自らの体重や手足の力によって、止水扉の下降動作を行わせることができる。
【００２４】
また、前記閉鎖位置では、前記止水扉を下降させて床面と接触させることにより同止水扉の下側縁を介した漏水を防止することとすれば、他の止水板などを使用することなく、止水扉のみで下端縁を介した漏水を防止することができる。
【００２５】
また、前記止水扉の下側縁を介した漏水を防止する下部弾性体を前記止水扉の下面に貼着すれば、止水扉の下端縁における水密性を更に向上させることができる。
【００２６】
また、前記止水扉の下部と前記閉鎖位置に移動させた止水扉の下面と対向する床面近傍とには、前記下部弾性体を圧縮しつつ前記止水扉と前記床面とを係止する下部弾性体圧縮係止手段を備えることとすれば、前記付勢手段による止水扉の上昇を抑えつつ、下端縁を介した浸水をより堅実なものとすることができる。
【００２７】
また、前記下部弾性体圧縮係止手段は、前記止水扉の下側縁より出没自在に設けた雄ネジ部材と、前記床面に前記雄ネジ部材と螺合可能に設けた雌ネジ孔とで構成すれば、止水扉を床面に容易に係止しつつ、下部弾性体を十分に圧着させて下端縁を介した漏水をしっかりと防止することができる。
【００２８】
また、前記閉鎖位置に移動させた止水扉の下面と対向する床面には、前記止水扉の下部を収容する収容溝を形成すれば、往来部に凸部を設けることなく止水扉下部の戸当りを設けることができ、下端縁における漏水をより堅実に防止することができる。
【００２９】
また、地下との連絡階段の中途に設けることにより、階段を介した地下への浸水を堅実に防止することができる。
【図面の簡単な説明】
【００３０】
【図１】本実施形態に係る止水装置の構成を示した説明図である。
【図２】止水装置の構成を示した平面視における拡大断面図である。
【図３】止水扉の保護側面を示した説明図である。
【図４】螺合係止部による踏面への係止過程を示した説明図である。
【図５】螺合係止部による踏面への係止過程を示した説明図である。
【図６】ローラ締りロックの親ロック部の構成を示した説明図である。
【図７】丸落としの構成を示した説明図である。
【図８】自由側側縁水密係止構造を備えない場合の止水扉の閉鎖位置における状態を示した説明図である。
【図９】本実施形態に係る止水装置における止水扉の閉鎖位置における状態を示した説明図である。
【発明を実施するための形態】
【００３１】
本発明は、上下方向に伸延する支軸を中心に開放位置と閉鎖位置との間で開閉自在、且つ、前記支軸に沿って上下方向へ昇降自在に軸支した止水扉を備え、前記閉鎖位置における前記止水扉への水圧による加圧方向と前記止水扉の開放方向とが一致する止水装置に関するものである。
【００３２】
特に、本実施形態に係る止水装置に特徴的な点としては、前記支軸は前記止水扉を上方へ付勢する付勢手段を備え、前記開放位置と閉鎖位置との間では前記止水扉を床面から離隔させた状態で変位可能とし、前記閉鎖位置では前記付勢手段の付勢力に抗した外力を付与することにより前記止水扉を下降させて前記床面に接触可能に構成している。
【００３３】
そして、このような構成とすることにより、圧開型でありながら閉鎖回動時に流入する水による開放方向への力を可及的受けることなく、しかも、床面との接地の際のドア下面及び床面へ衝撃を少なくして当該部分における水密性を確保することのできる止水装置を提供することができる。
【００３４】
また、本実施形態に係る止水装置は、前記止水扉は、前記支軸に近い軸支側側縁と同軸支側側縁よりも回動半径が大きい自由側側縁とを備え、同自由側側縁は、前記止水扉の閉鎖時に弾性材を介して戸枠と当接するものであり、前記止水装置は、止水時に前記自由側側縁を前記戸枠に係止して前記自由側側縁を介した漏水を防止する自由側側縁水密係止構造を備え、同自由側側縁水密係止構造は、前記弾性材を圧縮しつつ前記自由側側縁を前記戸枠に接近させた圧接領域に移動させる圧接手段と、前記戸枠と前記自由側側縁との間に掛け渡す係止片を有し、前記水圧による止水扉への加圧時に前記係止片により前記圧接手段が有する遊びに由来した前記止水扉の開放方向への動きを規制しつつ同止水扉を前記圧接領域に保持する遊び規制手段と、をそれぞれ別体に設けて構成することもできる。
【００３５】
ここで圧接領域とは、戸枠と自由側側縁との位置関係において、止水装置の使用時（止水時）に、自由側側縁を介した漏水が生起されない程度の弾性材の圧縮状態を実現できる領域のことであり、この圧接領域を逸脱して戸枠から自由側側縁が離隔すると、戸枠−弾性材−自由側側縁のいずれもが接触状態であっても、止水時の水圧によって漏水が発生してしまうこととなる。
【００３６】
そして、このような構成を備えることにより、圧開型の止水装置でありながら、水圧負荷時であっても保護領域内への浸水を堅実に防止可能な自由側側縁における水密係止構造を備える止水装置を提供することができる。
【００３７】
より具体的に説明すると、圧開型の止水装置の場合、閉鎖状態の止水扉に水圧が掛かると、止水扉に開放方向への力が加わることとなる。
【００３８】
この水圧による止水板の開放を阻止するためには、止水板と受枠との間に係止片を掛け渡して止水板を受枠に固定するロック装置などの係止機構を設ければ良いのであるが、増水に応じて可及的速やかに閉鎖しなければならない止水装置の性質上、係止機構や止水扉には係止片を相互間に円滑に掛け渡せるよう、素材や構造上の遊びが設けられている。
【００３９】
圧閉型の止水装置の場合、水圧が掛かることにより止水扉の戸枠への密着性が高まるため、これらの遊びが問題となることはない。
【００４０】
ところが、圧開型の止水装置の場合には、水圧が掛かることにより、これらの遊びが原因となって漏水が惹起されてしまうこととなる。特に、支軸を中心に止水扉を回動させて止水する止水装置の場合、軸支側側縁に比して回動半径が大きい自由側側縁における漏水が顕著となる。
【００４１】
また、圧開型の止水装置は、水圧と共に開放方向への力が加わるという理由から圧閉型の止水装置に比してあまり検討がなされておらず、しかも素材や構造上の遊びによる漏水対策にまで着目した実用性の高い水密係止構造は提案されていないのが現状である。
【００４２】
そこで本実施形態に係る止水装置では、上述のように構成したことで、圧開型の止水装置において、水圧負荷時であっても自由側側縁を介した保護領域内への浸水を堅実に防止できるようにしている。
【００４３】
ここで、遊び規制手段を設ける個数は特に限定されるものではない。しかしながら、遊び規制手段は、自由側側縁に沿って上下に複数設けることで、圧接手段が有する機構的や素材的な遊びや、止水扉自体の構造的や素材的な撓みによる遊びによって惹起される自由側側縁を介した漏水をより堅実に防止することができる。
【００４４】
また、遊び規制手段を複数設ける場合の設置位置は、例えば圧接手段が自由側側縁に沿って複数箇所設けられている場合には、圧接手段と圧接手段の間に設けるようにしても良い。また、止水扉の上縁と圧接手段との間や、止水扉の下縁と圧接手段の間に遊び規制手段を設けるようにしても良い。
【００４５】
このような遊び規制手段は、戸枠と自由側側縁との間に掛け渡す係止片を有するものであれば特に限定されるものではないが、簡易且つ堅実に機能実現できるものとして、例えば丸落としを採用することができる。
【００４６】
具体的には、前記遊び規制手段は、前記係止片としての落とし棒を備え、前記戸枠又は前記止水扉のいずれか一方に配設した丸落とし本体と、前記落とし棒を挿入させるいずれか他方に形成した挿入孔と、よりなる丸落としとすることができる。
【００４７】
また、遊び規制手段を丸落としとした場合、前記落とし棒は、同落とし棒を軸周りに回動させることにより、軸線方向に進退可能なスライド位置と、軸線方向への動きが規制される固定位置とに変位可能であり、前記スライド位置に変位させて落とし棒を挿入孔へ挿入した際には、前記落とし棒と前記挿入孔の開放側内周壁との間に遊びが設けられており、前記落とし棒を固定位置とした際に前記遊びが消失するよう構成しても良い。
【００４８】
すなわち、落とし棒がスライド位置にある時には、落とし棒の周面と挿入孔の内壁との間に遊び（間隙）を形成しておき、挿入孔への落とし棒の挿入を容易としながらも、落とし棒を固定位置としたときには、この遊びを消失させて挿入孔に対して落とし棒のがたつきを無くし、自由側側縁が圧接領域に確実に係止されるようにしても良い。
【００４９】
このような構成は特に限定されるものではないが、例えば、落とし棒の先端をカム状に形成することで実現することができる。
【００５０】
ところで、本実施形態に係る止水装置の止水扉は、前述の通り付勢手段によって開放位置と閉鎖位置との間では前記止水扉を床面から離隔させた状態で変位可能としているが、この付勢手段による前記止水扉の上方への付勢力は、前記外力として前記止水扉に対し10kgf以上40kgf以下の力を加えることで、前記止水扉を下降させて前記床面に接触可能な力としても良い。
【００５１】
このような付勢力とすることにより、閉鎖作業を行う作業者が、体重を掛けたりや手足の力によって止水扉の下降動作を行わせることができる。
【００５２】
特に、止水扉の保護領域側の面に、手足を係合させることのできる下降動作用係合部を設けておくことにより、作業者は更に容易に閉鎖作業を行うことができる。
【００５３】
そして閉鎖位置では、前記止水扉を下降させて床面と接触させることにより同止水扉の下側縁を介した漏水を防止することとしても良い。
【００５４】
このような構成とすることにより、止水扉の下縁を介した漏水を防止する止水板などを別途設けることなく、下縁を介した漏水を防止することができる。ただし、本発明は、上述の下縁漏水防止板の設置を妨げるものではない。
【００５５】
また、前記止水扉の下側縁を介した漏水を防止する下部弾性体を前記止水扉の下面に貼着しても良い。このような下部弾性体を貼着しておくことにより、より確実な水密性を確保できると共に、止水扉の引き下げ時における床面や止水扉下面への衝撃を緩和することができる。
【００５６】
また、前記止水扉の下部と、前記閉鎖位置に移動させた止水扉の下面と対向する床面近傍とには、前記下部弾性体を圧縮しつつ前記止水扉と前記床面とを係止する下部弾性体圧縮係止手段を備えても良い。
【００５７】
このような構成とすることにより、付勢手段による止水扉の上昇を確実に抑制すると共に、止水扉の下縁を介した漏水を堅実に防止することができる。
【００５８】
また、この下部弾性体圧縮係止手段は特に限定されるものではないが、前記止水扉の下側縁より出没自在に設けた雄ネジ部材と、前記床面に前記雄ネジ部材と螺合可能に設けた雌ネジ孔とで構成しても良い。
【００５９】
このような構成とすることにより、水扉を床面に容易に係止しつつ、下部弾性体を十分に圧着させて下端縁を介した漏水をしっかりと防止することができる。
【００６０】
また、雄ネジ部材には、雌ネジ部材への螺合を補助する螺合補助手段を更に設けることもできる。この螺合補助手段としては、例えばラチェットレンチやスパナ等を挙げることができる。特に雄ネジ部材と一体的に螺合補助手段としてのラチェットレンチを設けた場合には、緊急性のある閉鎖作業時において極めて円滑に作業を行うことができるため有用である。
【００６１】
また、前記閉鎖位置に移動させた止水扉の下面と対向する床面には、前記止水扉の下部を収容する収容溝を形成しても良い。
【００６２】
このような構成とすることにより、往来部に凸部を設けることなく止水扉下部の戸当りを設けることができ、下端縁における漏水をより堅実に防止することができる。なお、この収容溝は、平常時は蓋等によって閉塞しておくことにより、往来を阻害してしまうことを防止できる。
【００６３】
このように、本実施形態に係る止水装置は、良好な止水性能を発揮できる圧開型の止水装置であるが、特に、地下との連絡階段に設置することにより、極めて有用に機能させることができる。
【００６４】
特に、地下鉄や地下道、地下街への連絡階段は、その中途部においては圧閉型の止水装置を設置することができないが、本実施形態に係る止水装置は、そのような場所であっても、良好な止水性能を発揮して保護領域としての地下領域に浸水が及ぶことを防止することができる。
【００６５】
以下、本実施形態に係る止水装置について、図面を参照しながら説明する。なお、以下の説明において、設置場所を上述の地下との連絡階段として説明するが、それ以外の場所であっても設置可能であるのは勿論である。
【００６６】
図１は、止水装置Ａの構成を示した説明図である。図１（ａ）は、止水扉１０を開放位置に位置させて側壁１１に沿って収納した状態の止水装置Ａを示しており、図１（ｂ）は止水扉１０を閉鎖位置に位置させて止水可能とした状態の止水装置Ａを示している。
【００６７】
図１（ａ）に示すように、本実施形態に係る止水装置Ａは、地上から地下施設への浸水を防止すべく、地上と地下施設とを連絡する地下連絡口Ｕ内に設置している。
【００６８】
地下連絡口Ｕの内部には、地上と地下施設との間で往来可能とするための地下連絡階段Ｓが設けられている。図中符号１２は、地下連絡階段Ｓに沿って側壁１１に設けられた手摺である。
【００６９】
止水装置Ａは、地下連絡口Ｕの構造物と一体的に形成した装置基礎部２７と、同装置基礎部２７に開閉自在に取り付けられた止水扉１０とで構成している。なお、以下の説明において、矩形状の止水扉１０の各部位のうち、支軸２３（図１（ｂ）参照。）に近い側縁を軸支側側縁１３と称し、同軸支側側縁１３よりも回動半径の大きい側縁を自由側側縁１４と称し、止水扉１０の下方の縁を下縁１５と称し、上方の縁を上縁１６と称する。
【００７０】
装置基礎部２７は、図１（ｂ）に示すように、止水扉１０を圧接させて止水する戸当りとして機能させるための軸支側戸枠１７や自由側戸枠１８、止水扉１０を収納するための収納凹部２０や、図１（ａ）に示すように、止水扉１０の下縁１５と当接させる地下連絡階段Ｓの踏面１９により構成している。特に本実施形態では、踏面１９を床面の一形態として使用している。
【００７１】
一方、止水扉１０は、金属にて形成した正面視矩形状の止水板２１と、同止水板２１を支軸２３に開閉自在に軸支させるための軸支プレート２２とで構成しており、軸支側戸枠１７及び自由側戸枠１８と圧接させて止水する閉鎖位置（図１（ｂ）にて実線で示す。）と、側壁１１に沿って収納凹部２０に収納する開放位置（図１（ｂ）にて破線で示す。）との間で、軸支側戸枠１７に設けた支軸２３を中心に装置基礎部２７に対して開閉自在としている。なお、図１（ｂ）中、円弧状の二点鎖線は、閉鎖位置から開放位置に止水扉１０を変位させた際の自由側側縁１４の軌跡を示す仮想線である。また、以下の説明において止水扉１０の各部のうち、止水時に水と接触する側の面を止水側面Ｘと称し、浸水から保護される側（保護領域側）の面を保護側面Ｙと称する。
【００７２】
図２は、止水装置Ａの構成をより詳細に示した平面視における拡大断面図である。なお、図示の便宜上、一部を省略して示している。図２に示すように、軸支側戸枠１７は、図中左側の側壁１１に上下方向（紙面奥行き方向）へ一体的に形成されており、戸枠ビーム材２６と、支軸２３と、軸支側側縁弾性材２４とを備えている。
【００７３】
戸枠ビーム材２６は、支軸２３や軸支側側縁弾性材２４を側壁１１に固定するための梁の役割を果たす部材であり、止水扉１０の軸支側側縁１３の近傍に設けられていて、止水扉１０が閉鎖位置のときには、同止水扉１０の戸当りとしての機能を果たす部材である。
【００７４】
支軸２３は、後述するスプリング３０や軸支プレート３１と共に軸支部２５を構成しており、止水扉１０を開放位置と閉鎖位置との間で変位させるための中心軸として機能するものである。支軸２３は、戸枠ビーム材２６を介して側壁１１に固定されている。
【００７５】
軸支側側縁弾性材２４は、止水扉１０を閉鎖位置とした際の、軸支側側縁１３と軸支側戸枠１７との間の水密性を確保するための部材である。軸支側側縁弾性材２４は、閉鎖位置とした止水扉１０の軸支側側縁１３の側面部と対向する戸枠ビーム材２６表面位置に貼着している。
【００７６】
自由側戸枠１８は、図中右側の側壁１１に上下方向（紙面奥行き方向）へ一体的に形成されており、戸枠ビーム材４０と、自由側側縁弾性材４１とを備えている。
【００７７】
戸枠ビーム材４０は、止水扉１０が閉鎖位置のときに戸当りとして機能する部材であり、後述するローラ締りロック５０を構成する受体５１や、丸落とし６０を構成する丸落とし受部６１が設けられている。
【００７８】
自由側側縁弾性材４１は、止水扉１０を閉鎖位置とした際の、自由側側縁１４と自由側戸枠１８との間の水密性を確保するための部材である。自由側側縁弾性材４１は、閉鎖位置とした止水扉１０の自由側側縁１４における止水側面Ｘと対向する戸枠ビーム材４０の表面位置に貼着している。
【００７９】
次に、保護側面Ｙ側から見た止水扉１０の構成について図３を参照しながら説明する。図３は閉鎖位置における止水扉１０の保護側面Ｙ側から見た状態を示す説明図である。
【００８０】
図３に示すように、止水扉１０は、同止水扉１０に配設された軸支プレート３１を介して支軸２３に軸支している。
【００８１】
軸支プレート３１は、ボルトやリベット等の固定手段により止水板２１の表面に取り付けられる板状部３１ａと、支軸２３に挿通させる円筒状の円筒部３１ｂとで一体的に構成しており、板状部３１ａに固定した止水板２１を円筒部３１ｂを介して支軸２３を中心に揺動自在とし、止水扉１０として開閉可能としている。
【００８２】
また、支軸２３の上下方向中途部には、同支軸２３の径を大きく形成した拡径部２３ａが形成されており、この拡径部２３ａと円筒部３１ｂとの間には、止水扉１０を上方へ付勢する付勢手段としてのスプリング３０が装着されている。
【００８３】
このスプリング３０による止水扉１０の上方への付勢力は、止水扉１０の自重を上回り、止水扉１０の下縁１５が床面に接触することなく開放位置と閉鎖位置との間で変位可能な程度の力としており、さらには、止水扉１０に対し10kgf以上40kgf以下の力を支軸２３の軸線方向下方へ加えることで、止水扉１０を下降させて踏面１９に接触可能な力としている。従って、開放位置と閉鎖位置との間で変位させる際には、止水扉１０の下縁１５と床面（踏面１９）との間に所望の間隔を設けることができ、圧開型でありながら閉鎖回動時に流入する水による開放方向への力を可及的受けることなく閉鎖作業を行うことができる。
【００８４】
また止水装置Ａでは、支軸２３と、スプリング３０と、軸支プレート３１とを上述のように構成した軸支部２５を備えていることから、止水扉１０が自由落下によって踏面１９と接触することがなく、床面との接地の際のドア下面及び床面へ衝撃を少なくして当該部分における水密性を確保することができる。
【００８５】
また、止水扉１０の保護側面Ｙには、止水板２１の厚み方向へ凹状にくぼませた凹状プレート３２ａと、同凹状プレート３２ａの凹状部分に左右方向へ掛け渡した把持片３２ｂとで構成される把持部３２を設けている。
【００８６】
この把持部３２は、止水扉１０の開閉作業の際に作業者が把持したり、止水扉１０の下降動作の際に止水扉１０に対して外力を作用させる際に使用する部位であり、前述の下降動作用係合部として機能するものである。
【００８７】
例えば、止水扉１０を軸支部２５の付勢力に抗して下降動作させる際には、作業者の手を介して力を加えたり、足先を係止させて体重を乗せるようにしても良い。特に、軸支部２５における付勢力は、止水扉１０に対し10kgf以上40kgf以下の力を支軸２３の軸線方向下方へ加えることで、止水扉１０を下降させて踏面１９に接触可能な力としており、手の力や体重を外力として加えるに際し、この把持部３２は極めて有用である。
【００８８】
把持部３２を介して止水扉１０に外力を付与して下降動作を行わせると、止水扉１０は下降して下縁１５が床面としての踏面１９に当接する。
【００８９】
止水板２１の下縁１５における下面には、下縁１５を介した漏水を防止する下部弾性体３３が貼着されており、踏面１９との隙間の形成を防止して漏水を抑制するように構成している。
【００９０】
また、本実施形態に係る止水装置Ａでは、図３及び図４に示すように、閉鎖位置に移動させた止水扉１０の下面と対向する踏面１９には、上方に開口を有する断面視コ字状の溝部材３４ａを踏面１９表面に埋設して、下降動作後の止水扉１０の下縁１５部分が収容される収容溝３４を形成している。
【００９１】
この収容溝３４の底部には、雌ネジ部材３５ｂが埋設されている。雌ネジ部材３５ｂは、止水扉１０の閉鎖位置での下降状態を維持しつつ、浸水を抑制可能な状態に下部弾性体３３を圧縮する螺合係止部３５の構成の一部である。
【００９２】
具体的には、螺合係止部３５は、図４に示すように、ステー３５ｃと、ラチェット部３５ｄと、ソケット部３５ｅと、雄ネジ部材３５ｆとで構成される扉側螺合体３５ａと、雌ネジ部材３５ｂとで構成している。
【００９３】
ステー３５ｃは、止水板２１にラチェット部３５ｄやソケット部３５ｅ、雄ネジ部材３５ｆを取り付けるための固定具である。
【００９４】
ラチェット部３５ｄは、後述する雄ネジ部材３５ｆを雌ネジ部材３５ｂに締め込むためのラチェットレンチの役割を果たす部位であり、締結方向と弛緩方向とのいずれか一方向に選択的にソケット部３５ｅを回動させるラチェット機構を内蔵したラチェット機構部３５ｇと、同ラチェット機構部３５ｇを駆動させる把持部としてのラチェットハンドル部３５ｈとで構成している。
【００９５】
ソケット部３５ｅは、ラチェット部３５ｄに付与された回動力を雄ネジ部材３５ｆに伝達するための筒状部材であり、上部はラチェット機構部３５ｇの回動軸に固定されており、下方は雄ネジ部材３５ｆの上部に係合させている。また、ソケット部３５ｅは、ステー３５ｃに対して軸周りに回動自在に配設している。
【００９６】
雄ネジ部材３５ｆは、頭部を六角形に形成した所謂ボルト状の部材であり、雌ネジ部材３５ｂと螺合して踏面１９に止水扉１０を固定する役割を有している。ソケット部３５ｅの下部内周面は、雄ネジ部材３５ｆの頭部外形と同じ略六角形の筒状に形成されており、雄ネジ部材３５ｆは、ソケット部３５ｅに対して軸線方向へ移動可能でありながら、軸周り方向への動きは規制されている。
【００９７】
雌ネジ部材３５ｂは、雄ネジ部材３５ｆと螺合可能な雌ネジ孔３５ｉを備えた所謂ナット状の部材であり、溝部材３４ａの底部に穿設した螺合孔３５ｊを介して雄ネジ部材３５ｆと螺合可能である。
【００９８】
そして、図５に示すように、止水扉１０の下降動作を行った後、作業者はラチェットハンドル部３５ｈを把持してラチェット部３５ｄを駆動させ、ソケット部３５ｅを介して雄ネジ部材３５ｆを雌ネジ部材３５ｂに螺合させることにより、下部弾性体３３を圧縮しつつ、止水扉１０の下降状態を維持して、下縁１５部分における水密性を確保しながら止水扉１０を閉鎖位置に係止することができる。
【００９９】
すなわち、螺合係止部３５は、止水扉１０の下部に設けた扉側螺合体３５ａと、閉鎖位置に移動させた止水扉１０の下面と対向する踏面１９近傍に設けた雌ネジ部材３５ｂとで構成された、下部弾性体３３を圧縮しつつ止水扉１０と踏面１９とを係止する下部弾性体圧縮係止手段としての役割を有するものである。また、ラチェット部３５ｄやソケット部３５ｅは、螺合補助手段として機能するものであると言える。
【０１００】
図３の説明に戻り、止水板２１の保護側面Ｙには、更に、止水時に自由側側縁１４を自由側戸枠１８に係止して自由側側縁１４を介した漏水を防止する自由側側縁水密係止構造７０を備えている。
【０１０１】
特に、本実施形態に係る止水装置Ａでは、それぞれ別体として止水板２１の表面に設けられたローラ締りロック５０と、丸落とし６０とにより自由側側縁水密係止構造７０を構成している。
【０１０２】
ローラ締りロック５０は、自由側側縁弾性材４１を圧縮しつつ自由側側縁１４を自由側戸枠１８に接近させた圧接領域に移動させる圧接手段として機能するものであり、本実施形態では、１つの親ロック部５２と、２つの子ロック部５３,５３とをリンクロッド５４を介して連動連結させて構成している。
【０１０３】
親ロック部５２は、図６に示すように、止水板２１の表面に突設したロック軸５２ａにロックアーム５２ｂを揺動可能に軸支することで構成している。
【０１０４】
ロックアーム５２ｂの先端側には自由側戸枠１８と係合させる先端係合部５２ｃが設けられており、自由側戸枠１８の戸枠ビーム材４０に設けた受体５１の受け溝５１ａに係合可能としている。
【０１０５】
また、ロックアーム５２ｂの基端側には、親ロック部５２を操作する際に作業者が把持するロックハンドル５２ｄを形成している。
【０１０６】
そして、図６にて二点差線で示すロックアーム５２ｂのロックハンドル５２ｄを把持し、ロック軸５２ａを中心に実線で示す状態に変位させることで、先端係合部５２ｃを受体５１に係合可能としている。
【０１０７】
また、ロックアーム５２ｂには、ロッド軸５２ｅが設けられている。このロッド軸５２ｅは、ロックアーム５２ｂの動きをリンクロッド５４へ伝達するための軸であり、本実施形態では、二点差線から実線の状態にロックアーム５２ｂを変位させることで、リンクロッド５４が軸線方向下方に移動するよう構成している。
【０１０８】
子ロック部５３は、親ロック部５２と略同様の構成を有するものであるが、作業者が直接操作するのではなく、親ロック部５２を操作した際の回動力をリンクロッド５４を介して伝達させることにより操作する点で構成を異にしている。
【０１０９】
具体的には、子ロック部５３は図３に示すように、止水板２１の表面に突設したロック軸５３ａにロックアーム５３ｂを揺動可能に軸支して構成している。
【０１１０】
また、親ロック部５２と同様、ロックアーム５３ｂの先端側には先端係合部５３ｃが設けられており、自由側戸枠１８の対向部分に設けられた図示しない受体５１と係合可能に構成している。
【０１１１】
また、ロックアーム５３ｂの基端側には、ロッド軸５３ｅが設けられており、リンクロッド５４を介した親ロック部５２の動きを子ロック部５３に伝達可能としている。
【０１１２】
そして、親ロック部５２を二点差線で示す状態から実線で示す状態に変位させることで、親ロック部５２の先端係合部５２ｃや子ロック部５３,５３の先端係合部５３ｃを自由側戸枠１８に設けた受体５１に係合させて、自由側側縁弾性材４１を圧縮しつつ自由側側縁１４を自由側戸枠１８に接近させ、圧接領域に移動させるようにしている。
【０１１３】
丸落とし６０は、水圧による止水扉１０への加圧時に圧接手段としてのローラ締りロック５０が有する遊びに由来した止水扉１０の開放方向への動きを規制しつつ同止水扉１０を圧接領域に保持するための遊び規制手段として機能するものである。
【０１１４】
図３に示すように、本実施形態において丸落とし６０は、上部に配置した子ロック部５３と親ロック部５２との間に２カ所、親ロック部５２と下部に配置した子ロック部５３との間に２カ所の合計４カ所に配設している。
【０１１５】
丸落とし６０は、図７（ａ）に示すように、止水板２１の表面に配設した丸落とし本体６２と、自由側戸枠１８に配設した丸落とし受部６１とで構成している。
【０１１６】
丸落とし本体６２は、落とし棒６３と、同落とし棒６３を回動可能かつ軸線方向にスライド可能に保持する基体部６４とで構成している。
【０１１７】
落とし棒６３は略円柱状の部材であり、自由側戸枠１８と自由側側縁１４との間に掛け渡す係止片として機能する部材である。落とし棒６３は、半径方向外方へ向けて突設した操作つまみ６３ａを作業者が摘んで操作することにより、基体部６４に対して落とし棒６３を軸周り方向に回動させたり、軸線方向にスライド可能としている。
【０１１８】
また、落とし棒６３の先端には、丸落とし受部６１と係合させるための先端係合部６３ｂが形成されている。この先端係合部６３ｂは、落とし棒６３を回動させることによりその外表面をあたかもカムのように機能させて、止水扉１０によって自由側側縁弾性材４１を更に圧縮させる方向へ移動させるための部位である。
【０１１９】
具体的には、先端係合部６３ｂは、落とし棒６３の軸線から落とし棒周面までの長さ（半径）が大きい押圧面と、この押圧面よりも前記長さ（半径）が小さく丸落とし受部６１に形成された挿入孔６１ａの内周面と接触しない非接触面とを備えた周縁カム状としており、本実施形態ではその一例として、断面視略楕円状に形成している。
【０１２０】
基体部６４は、止水板２１の表面に固定するための板状の固定部６４ａと、落とし棒６３を変位可能に収容する落とし棒挿通部６４ｂとを備えている。
【０１２１】
落とし棒挿通部６４ｂは、落とし棒６３の外形と略同径の内径を有する落とし棒挿通孔６４ｃが穿設された略直方体状のブロック体である。
【０１２２】
また、落とし棒挿通部６４ｂには、落とし棒挿通孔６４ｃに沿ってスライド溝６４ｄが刻設されており、前述の操作つまみ６３ａをこのスライド溝６４ｄに位置させることで、落とし棒６３を軸方向に進退可能としている。なお、以下の説明において、操作つまみ６３ａをスライド溝６４ｄに位置させた落とし棒６３の状態を、「落とし棒６３をスライド位置とする」のように表現する。
【０１２３】
また、落とし棒挿通部６４ｂには、スライド溝６４ｄと直交する方向へ向けて、没位置切欠部６４ｅと、出位置切欠部６４ｆとの２つの切欠を形成している。
【０１２４】
没位置切欠部６４ｅは、落とし棒６３の軸線方向への動きのうち、先端係合部６３ｂが丸落とし受部６１内に挿入されていない状態となる位置に設けられており、操作つまみ６３ａをこの没位置切欠部６４ｅに位置させることで、落とし棒６３を丸落とし本体６２側に没した状態で軸線方向への動きを規制可能としている。
【０１２５】
出位置切欠部６４ｆは、落とし棒６３の軸線方向への動きのうち、先端係合部６３ｂが丸落とし受部６１に挿入される位置に設けられており、操作つまみ６３ａをこの出位置切欠部６４ｆに位置させることで、落とし棒６３を丸落とし受部６１側に進出させた状態で軸線方向への動きを規制可能としている。なお、以下の説明において、操作つまみ６３ａを出位置切欠部６４ｆに位置させた落とし棒６３の状態を、「落とし棒６３を固定位置とする」のように表現し、操作つまみ６３ａを没位置切欠部６４ｅに位置させた落とし棒６３の状態を、「落とし棒６３を開位置とする」のように表現する。
【０１２６】
前述の先端係合部６３ｂは、図７（ｂ）に示すように、落とし棒６３を固定位置又は開位置とした際には、押圧面としての長径部表面近傍が後述する挿入孔６１ａの圧接係合面６１ｂと対向して当接し、スライド位置とした際には、非接触面としての短径部表面近傍が接触することなく対向するよう形成している。
【０１２７】
丸落とし受部６１は、丸落とし本体６２の配設位置に対応する自由側戸枠１８の戸枠ビーム材４０に設けられており、丸落とし本体６２より出没する先端係合部６３ｂと係合可能な挿入孔６１ａを備えている。
【０１２８】
特に本実施形態において挿入孔６１ａは、落とし棒６３を固定位置とした際に押圧面と接触する圧接係合面６１ｂを備えた長円形状に形成している。
【０１２９】
この圧接係合面６１ｂは、止水扉１０が閉鎖位置にありローラ締りロック５０をロックした状態において、保護側面Ｙよりも開放方向に離隔する位置で、かつ保護側面Ｙから落とし棒６３の軸線までの距離より遠い位置に配設された面であり、前述のように、落とし棒６３がスライド位置にある場合には接触せず、落とし棒６３を固定位置とした際に押圧面と接触する面である。図７（ｂ）に示す長円形の挿入孔６１ａにあっては、右側の直線部内周面が圧接係合面６１ｂに相当する。
【０１３０】
しかも本実施形態では、スライド位置にある挿入孔６１ａ内へ挿入された落とし棒６３の軸線（図７（ｂ）中において白丸で示す。）から圧接係合面６１ｂまでの距離が、落とし棒６３の軸線から押圧面までの長さ（すなわち、楕円状とした先端係合部６３ｂの長径の長さ。）よりも短くなるように構成している。
【０１３１】
それ故、図７（ｂ）に示すように、落とし棒６３をスライド位置として先端係合部６３ｂを挿入孔６１ａ内に挿入した際には、図中二点差線で示すように、落とし棒６３と圧接係合面６１ｂとの間に隙間（遊び）が形成され、落とし棒６３の挿入孔６１ａに対する挿入、離脱操作を極めて円滑に行うことができる。
【０１３２】
また、落とし棒６３を固定位置とした際には、図中実線で示すように、落とし棒６３と圧接係合面６１ｂとの間に隙間（遊び）は消失し、ローラ締りロック５０に由来する遊びを消失しながらも、止水扉１０は圧接領域にしっかりと係止されることとなる。
【０１３３】
特に本実施形態では、押圧面を圧接係合面６１ｂと接触させることにより、落とし棒６３の軸芯位置が白丸で示した位置から黒丸で示す位置まで長さＬ分だけ移動することとなる。
【０１３４】
従って、止水扉１０を白抜きで示す矢印方向へ移動させることができ、ローラ締りロック５０のみで係止した場合よりも更に止水扉１０を自由側戸枠１８に接近させて、自由側側縁弾性材４１をより圧縮させることができる。
【０１３５】
すなわち、圧接手段としてのローラ締りロック５０のみで、遊び規制手段としての丸落とし６０が存在しない場合、図８（ａ）に示すように、止水扉１０の自由側側縁１４は、ローラ締りロック５０の係止力により自由側側縁弾性材４１が圧縮されて圧接状態にあったとしても、図８（ｂ）に示すように、水圧が付与された際には、ローラ締りロック５０の有する遊びや止水扉１０の構造上の撓みなどによって、自由側側縁１４が圧接領域から逸脱してしまい、矢印で示すように自由側側縁１４を介した漏水が惹起されてしまうこととなる。
【０１３６】
一方、ローラ締りロック５０の如き圧接手段と、丸落とし６０の如き遊び規制手段とがそれぞれ別体に設けられてなる自由側側縁水密係止構造７０を有している場合には、水圧が付与された場合であっても、自由側側縁１４を圧接領域に保持することができ、自由側側縁１４を介した漏水を堅実に防止することができる。
【０１３７】
上述してきたように、本実施形態に係る止水装置Ａによれば、上下方向に伸延する支軸（例えば、支軸２３）を中心に開放位置と閉鎖位置との間で開閉自在、且つ、前記支軸に沿って上下方向へ昇降自在に軸支した止水扉（例えば、止水扉１０）を備え、前記閉鎖位置における前記止水扉への水圧による加圧方向と前記止水扉の開放方向とが一致する止水装置であって、前記支軸は前記止水扉を上方へ付勢する付勢手段（例えば、スプリング３０）を備え、前記開放位置と閉鎖位置との間では前記止水扉を床面（例えば、踏面１９）から離隔させた状態で変位可能とし、前記閉鎖位置では前記付勢手段の付勢力に抗した外力を付与することにより前記止水扉を下降させて前記床面に接触可能に構成したため、圧開型でありながら閉鎖回動時に流入する水による開放方向への力を可及的受けることなく、しかも、床面との接地の際のドア下面及び床面へ衝撃を少なくして当該部分における水密性を確保することのできる止水装置を提供することができる。
【０１３８】
また、前記止水扉は、前記支軸に近い軸支側側縁（例えば、軸支側側縁１３）と同軸支側側縁よりも回動半径が大きい自由側側縁（例えば、自由側側縁１４）とを備え、同自由側側縁は、前記止水扉の閉鎖時に弾性材（例えば、自由側側縁弾性材４１）を介して戸枠（例えば、自由側戸枠１８）と当接するものであり、前記止水装置は、止水時に前記自由側側縁を前記戸枠に係止して前記自由側側縁を介した漏水を防止する自由側側縁水密係止構造（例えば、自由側側縁水密係止構造７０）を備え、同自由側側縁水密係止構造は、前記弾性材を圧縮しつつ前記自由側側縁を前記戸枠に接近させた圧接領域に移動させる圧接手段（例えば、ローラ締りロック５０）と、前記戸枠と前記自由側側縁との間に掛け渡す係止片（例えば、落とし棒６３）を有し、前記水圧による止水扉への加圧時に前記係止片により前記圧接手段が有する遊びに由来した前記止水扉の開放方向への動きを規制しつつ同止水扉を前記圧接領域に保持する遊び規制手段（例えば、丸落とし６０）と、をそれぞれ別体に設けて構成したため、圧開型の止水装置でありながら、水圧負荷時であっても保護領域内への浸水を堅実に防止可能な自由側側縁における水密係止構造を備える止水装置を提供することができる。
【０１３９】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１４０】
１０  止水扉
１１  側壁
１３  軸支側側縁
１４  自由側側縁
１５  下縁
１７  軸支側戸枠
１８  自由側戸枠
１９  踏面
２３  支軸
２５  軸支部
３０  スプリング
３２  把持部
３３  下部弾性体
３４  収容溝
３５  螺合係止部
３５ａ  扉側螺合体
３５ｂ  雌ネジ部材
４１  自由側側縁弾性材
５０  ローラ締りロック
５１  受体
６０  丸落とし
６１  丸落とし受部
６１ａ  挿入孔
６１ｂ  圧接係合面
６２  丸落とし本体
６３  落とし棒
６４ｄ  スライド溝
６４ｅ  没位置切欠部
６４ｆ  出位置切欠部
７０  自由側側縁水密係止構造
Ａ  止水装置
Ｓ  地下連絡階段
【要約】
【課題】圧開型でありながら閉鎖回動時に流入する水による開放方向への力を可及的受けることなく、しかも、床面との接地の際のドア下面及び床面へ衝撃を少なくして当該部分における水密性を確保することのできる止水装置を提供する。
【解決手段】上下方向に伸延する支軸を中心に開放位置と閉鎖位置との間で開閉自在、且つ、前記支軸に沿って上下方向へ昇降自在に軸支した止水扉を備え、前記閉鎖位置における前記止水扉への水圧による加圧方向と前記止水扉の開放方向とが一致する止水装置であって、前記支軸は前記止水扉を上方へ付勢する付勢手段を備え、前記開放位置と閉鎖位置との間では前記止水扉を床面から離隔させた状態で変位可能とし、前記閉鎖位置では前記付勢手段の付勢力に抗した外力を付与することにより前記止水扉を下降させて前記床面に接触可能に構成した。
【選択図】図３【図１】
0005782205.tif 000002
【図２】
0005782205.tif 000003
【図３】
0005782205.tif 000004
【図４】
0005782205.tif 000005
【図５】
0005782205.tif 000006
【図６】
0005782205.tif 000007
【図７】
0005782205.tif 000008
【図８】
0005782205.tif 000009
【図９】
0005782205.tif 000010